(57)【要約】  本発明は、位相差として変調される情報であって、使用される信号配置位相における位相の個数に従って可能な情報セットに属する情報について、上記セットと、最大の位相の個数を有する信号配置位相に対応して変調される可能な情報セットとの間で単射マッピングが実行されることを特徴とする。これは、新たな位相基準を送ることなくビットが搬送波によって変更されることを可能にし、よって、フレーム内の情報のシンボル数が最大化され、またさほど複雑でない変調器及び復調器が実装される。本発明は、チャンネルの最大伝送容量に適応し、その振幅変動を追跡しかつ情報が１ユーザから数ユーザへ伝送されることを可能にするために、単一のデータフレームにおいて信号配置位相の搬送波によりビットが変更されることを必要とするマルチユーザディジタル通信に適用可能である。
2006529067.tif 000002
【特許請求の範囲】
【請求項１】
ユーザの複数の機器に係る双方向通信に適用可能であり、情報の送信に先行する位相基準シンボルの送信を必要とする差動位相変調かつコヒーレント振幅変調が使用される、マルチユーザ通信のための正規化された差動位相変調かつコヒーレント振幅変調のための処理方法であって、
位相差として変調される情報であって、使用される信号配置位相における位相の個数に従って可能な情報セットに属する情報について、上記セットと、最大の位相の個数を有する信号配置位相に対応して変調される可能な情報セットとの間で単射マッピングが実行され、上記マッピングは、第１のセットの要素から第２のセットの同数の要素への射影であって、かつ上記最大の位相の個数を有する信号配置位相から結果的に生じる点についてラジアンを測定単位としたときに最大の分離を生じさせる射影であり、
差動位相変調器へ入力される情報は上記第２のセットに属し、よって、オーバーヘッド（正しいデータ受信に必要でありかつこれと共に送信されるシステム制御情報）は最小化され、単一フレーム内での信号配置位相又はユーザの変更は最適化されることを特徴とする処理方法。
【請求項２】
受信時に等化が実行され、
上記チャンネル等化は２つの段階で行われ、第１の段階は上記チャンネルの減衰の初期推定を実行することであり、第２の段階は適応アルゴリズムによって上記推定に係る残り誤差の追跡及び削減を実行することを特徴とする、請求項１記載のマルチユーザ通信のための正規化された差動位相変調かつコヒーレント振幅変調のための処理方法。
【請求項３】
上記チャンネルの減衰の初期推定は、上記位相基準シンボルと、受信された所定数の後続シンボルとを用いて実行され、上記基準シンボル及び上記後続シンボルにより形成されるセットのシンボルは予め既知の振幅値を有し、
上記推定は、上記セットの複数のシンボルから受信された振幅を累算することと、上記セットを構成するシンボル数により平均することとによって実行されることを特徴とする、請求項２記載のマルチユーザ通信のための正規化された差動位相変調かつコヒーレント振幅変調のための処理方法。
【請求項４】
位相差として符号化された情報は、上記位相基準に後続しかつ上記チャンネルの減衰の初期推定に使用されるシンボルにおいて送信されることを特徴とする、請求項３記載のマルチユーザ通信のための正規化された差動位相変調かつコヒーレント振幅変調のための処理方法。
【請求項５】
上記チャンネルの減衰の推定は、変調されて受信された情報からチャンネルの振幅の変化を追跡しかつ上記最初の推定において発生する誤差を削減するための適応アルゴリズムへの初期入力として使用されることを特徴とする、請求項３記載のマルチユーザ通信のための正規化された差動位相変調かつコヒーレント振幅変調のための処理方法。
【請求項６】
位相符号化された情報を備えかつ既知の振幅を有するシンボルは、送信機により受信機に対して所定の瞬間に送信されて通知され、振幅推定、信号対雑音比、又はその双方を選択的に向上させることを特徴とする、請求項１記載のマルチユーザ通信のための正規化された差動位相変調かつコヒーレント振幅変調のための処理方法。
【発明の詳細な説明】
【技術分野】
【０００１】
本明細書の発明の名称に記載したように、本発明は、マルチユーザ通信のための正規化された差動位相変調かつコヒーレント振幅変調の処理方法に関する。
【０００２】
本発明の処理方法は、通信に使用する物理的媒体に関係なく複数の通信システムに適用可能であり、その主要な特徴は、チャンネルにより提供される最大伝送容量への適合化を可能にし、その振幅の変動への追随（又は追跡）を実行しかつ１ユーザから数ユーザへの効率的な送信を可能にし、さほど複雑でない変調器及び復調器の実装を容易にすることにある。
【背景技術】
【０００３】
電気通信システムにおいては、情報を通信チャンネルによって送るために通常は上記情報を変調する必要がある。言い替えれば情報をチャンネルに合うように適応させる必要がある。
【０００４】
ディジタル通信の受信機が遭遇する主要な問題の中に、チャンネルの推定を必要とする等化と、送信機に関する受信機のクロック周波数の偏差とがある。コヒーレントＱＡＭ変調（直交振幅変調）が使用される場合は、上述の問題点に取り組むためには復調器を大幅に複雑化させる必要がある。１つの解決方法として、差動変調又はＤＡＰＳＫ（差動振幅位相変調）を用いることがあり、この場合、情報は振幅及び位相の増分として符号化される。この差動符号化は、受信チャンネルを推定する必要性を除去し、送信機と受信機のクロック間の周波数偏差による影響を大幅に低下させる。ただし、完全に差動による変調を用いた場合の受信機においてこのように複雑さを削減することは、ＱＡＭ変調の性能に関して、同じ値のＳＮＲ（信号対雑音比）の場合のビット誤り率を増大させる。
【０００５】
これに対して、従来技術では、エル．ランペ及びアール．フィッシャー，「フェージングチャンネル上の差動符号化伝送の比較と最適化」，ＩＳＰＬＣ’９９講演論文集（"Comparison and optimization of differentially encoded transmission on feding channels", L. Lampe y R. Fischer, Proceedings ISPLC'99）と、エル．ランペ，アール．フィッシャー及びアール．ショーバー，「電力線上の非コヒーレント伝送の性能評価」，ＩＳＰＬＣ’００講演論文集（"Performance evaluation of noncoherent transmission over power lines", L. Lampe, R. Fischer y R. Schober, Proceedings ISPLC'00）と、アール．フィッシャー，エル．ランペ及びエス．カラブロ，「フェージングチャンネル上伝送の差動符号化方法」，インターナショナル・ジャーナル・オン・エレクトロニクス・アンド・コミュニケーションズ（"Differential encoding strategies for transmission over feding channels", R. Fischer, L. Lampe y S. Calabro, International Journal on Electronics and Communications）とに記載されているような、ＡＤＰＳＫ変調（振幅差動位相変調）が知られている。
【０００６】
上記変調は、先の２つの変調（ＱＡＭ及びＤＡＰＳＫ）との間で組み合わされた変調であり、受信機の性能及び複雑さに関する限り、両者間の中間にあるものである。言い替えれば、これは、ディジタル通信システムの送信機及び受信機のクロック間の周波数偏差によって引き起こされる問題を最小化し、これはまた、チャンネルの振幅の推定を必要とするだけであるので、チャンネル推定の複雑さを削減する。従って、ＡＤＰＳＫ変調は、実際の実装において、受信機の性能と複雑さとの間の最良の妥協策となっている。
【０００７】
一方で、常に最大のデータ転送レートを達成することを希望すれば、変調に係る搬送波当たりのビット数を、チャンネルにより提供される容量に適合させる必要がある。言い替えれば、目標となるビット誤り率が与えられたものとすると、この値以下の誤り率を保証する搬送波毎の最大ビット数を使用することが求められる。さらに、ポイント・ツー・マルチポイント又はマルチポイント・ツー・マルチポイントのマルチユーザ通信では、送信機は、情報をいくつかの受信機へ異なるチャンネルを介して単一のデータフレームで送ることができる。従って、単一のフレームにおいて、異なる信号配置位相（コンステレーション）が使用される。この最大のデータ転送レートを達成するための別の重要なファクタは、オーバーヘッド（正しいデータ受信に必要でありかつこれと共に送られるシステム制御情報）を最小化することである。ＯＦＤＭ（直交周波数分割多重）等の複数の搬送波を用いることに基づいた伝送方法が使用され、単一の周波数情報搬送波が使用されるディジタル通信の場合よりシンボル時間が大幅に長くかつずっと多くの情報を含む場合には、このオーバーヘッドはさらに重大になる。
【０００８】
ＡＤＰＳＫ変調は、２つの重要な要件を有する。その１つは、情報の一部が位相の増分として符号化されるという事実に起因して、受信機のための位相基準を構成するシンボルを事前に送る必要があることである。また、残りの情報は、受信されるシンボルの振幅値として符号化される。従って第２の要件は、チャンネルの応答の振幅値を、それが受信機に与える影響を補正するために推定する必要があることである。加えて、実際のチャンネルは経時的にその特性をある程度変動させるため、受信機は、初期推定値の追跡及び更新を実行しなければならなくなる。
【発明の開示】
【発明が解決しようとする課題】
【０００９】
先に引用した文献は、ＡＤＰＳＫ変調器及び復調器の動作及びその性能を記載したものであり、単一のデータフレーム内の異なる信号配置位相を使用する可能性について記載したものではない。後者の場合、信号配置位相を変えるためには、新たな位相基準を送ること又は変調器の複雑さを大幅に増大させることが必要になり、その実際の実装を妨げ、最適なマルチユーザ通信を妨害する。本願発明の処理方法は、この問題点を解決し、単一の位相基準がフレームの開始部において送られることを可能にし、さほど複雑でない変調器を実際に実装することを容易にする。
【００１０】
同様に、本発明は、送信機データが向かうように方向付けられたのではないユーザがチャンネルをモニタリングしかつその変動を追跡することができるように、データシンボルをフレームに挿入することを可能にする。
【課題を解決するための手段】
【００１１】
目的を達成しかつ上述の欠点を回避するため、本発明は、ユーザの複数の機器に係る双方向通信を実行する任意の通信システムに適用可能な、正規化された差動位相変調かつコヒーレント振幅変調の処理方法で構成される。この変調においては、先に述べたように、情報は、振幅の値及び位相の増分として変調され、位相基準シンボルが情報シンボルの送信に先行して送られることを必要とする。本発明は、位相差として変調される情報であって、使用される信号配置位相における位相の個数に従って可能な情報セットに属する情報について、上記セットと、最大の位相の個数を有する信号配置位相に対応して変調される可能な情報セットとの間で単射マッピング（単射写像）が実行されることを特徴とする。このマッピングは、第１のセットの要素から第２のセットの同数の要素への射影であって、最大の位相の個数を有する信号配置位相から結果的に生じる点についてラジアンを測定単位としたときに最大の分離を生じさせる射影である。この方法では、差動位相変調器に入力される情報は、この第２のセットに属する。
【００１２】
受信側で実行されるチャンネルの等化は２段階で行われ、その第１の段階は、チャンネル減衰の初期推定を実行することであり、その第２の段階は、適応アルゴリズムを適用することによって上記最初の推定に係る残り誤差の追跡及び削減を実行する。
【００１３】
受信に際しては、チャンネル減衰の初期推定を実行するために、位相基準シンボルと、これに続いて受信される所定数のシンボルとが使用される。基準シンボルと、基準シンボルに後続するいくつかのシンボルとで形成されるこのシンボルセットは、予め知られた振幅値を有する。推定は、上記セットを形成する複数のシンボルの振幅を累算することと、上記セットを構成するシンボル数により平均することとによって実行される。
【００１４】
加えて、本発明の処理方法により、位相差として符号化された情報は、基準シンボルに後続するシンボルにおいて送られ、これにより、これらのシンボルは、情報を送信することと、チャンネル減衰の初期推定を実行することとに使用される。
【００１５】
一方で、チャンネル減衰のこの初期推定は、チャンネル振幅の変化を追跡することと、変調されて受信された情報から、上記最初の推定において発生する誤差を削減することとを可能にする適応アルゴリズムへの初期入力として使用される。
【００１６】
チャンネルのこの追跡を向上させるため、また情報の受信者ではないユーザが上記追跡を実行できるように、フレームには、位相符号化された情報を備えかつ既知の振幅を有するシンボルであって、送信機により受信機に対して指示された所定の瞬間に通知されるシンボルが挿入される。
【発明の効果】
【００１７】
説明している本発明の処理方法は、最適なマルチユーザ通信システムの実際的な実施例を可能にし、単一のフレーム内で信号配置位相又はユーザの変更を可能にしながら、オーバーヘッドを最小化し、変調器及び復調器の複雑さを削減する。さらにこれは、チャンネルの振幅又は減衰の推定に使用されるシンボル内で情報を送ることを容易にする。またこれは、情報の受信者ではないユーザにおいてチャンネルの初期推定が更新されることを可能にする。このようにして、その変動は、既知の振幅のフレームにシンボルを挿入することにより経時的に追跡されることが可能である。ただし、位相に関する情報は増分される。
【発明を実施するための最良の形態】
【００１８】
本明細書をより良く理解するために、またその一体的な部分を構成ものとして、本発明の目的を例示的かつ非限定的に表すいくつかの図面を添付している。
【００１９】
以下、図面で使用している付番を参照して、本発明の一実施形態について説明する。
【００２０】
発明の背景技術のセクションで述べたように、ＡＤＰＳＫ変調は、ＤＡＰＳＫ（差動）変調とＱＡＭ（コヒーレント）変調との間で混合された変調である。ゆえに、Ｍ個の信号配置位相図上の点が、Ｒ個のリング及びＰ個の位相において、次式：
［数１］
｛（ａｋ，Δｂｋ），ｋ＝…，０，１，２，…｝
に従って分散されるものと仮定して、変調されるビットは、振幅ａｋ（振幅として変調される情報）及び位相の増分Δｂｋ（位相の増分として変調される情報）に変換される。ここで、以下の表記を用いるものとする。
【００２１】
［数２］
ａｋ∈｛０，１，…，Ｒ−１｝
［数３］
Δｂｋ∈｛０，１，…，Ｐ−１｝
【００２２】
変調された値の低域通過等価値は、次式になる。
【００２３】
【数１】
2006529067.tif 000003
【００２４】
ここで、Ａは中心に関する第１のリングの変位量であり、μはリング間の分離を修正する係数であり、λは次式で表される。
【００２５】
【数２】
2006529067.tif 000004
【００２６】
これは、信号配置位相を電力の単位へ正規化するために使用される。
【００２７】
また、次式は、位相差の特徴を表す。
【００２８】
［数４］
ｂｋ＝（ｂｋ−１＋Δｂｋ）  ｍｏｄ  Ｐ
【００２９】
Ｒ、Ｐ、Ａ及びμの値は信号配置位相図の幾何学的形状を決定し、よってその性能を決定する。最適値は、受信におけるビット誤り率を最小化することによって取得される。μの各値について上記誤り率を最小化するＡの値が存在し、よって本発明の処理方法のこの実施形態における計算を簡単化するためにμを１として確立すると、先の式は、次式になる。
【００３０】
【数３】
2006529067.tif 000005
【数４】
2006529067.tif 000006
【００３１】
この実施形態の場合、各信号配置位相に対する最適値は、次の表で表される。
【００３２】
【表１】
2006529067.tif 000007
【００３３】
変調の特性が与えられたものとすると、復調器は、位相の増分として符号化されたビットの復調を開始するために位相基準を必要とし、また、振幅を等化しかつそこに符号化されたビットの復調を可能にするために、チャンネル減衰の推定とを必要とする。この実施形態では、複数の搬送波（ＯＦＤＭ）が使用され、各搬送波は、ポイント・ツー・マルチポイント通信を実施するためにＡＤＰＳＫで変調される。ＯＦＤＭ通信では、位相基準は、ちょうどチャンネル振幅に係る最初の推定の実行に必要とされるシンボルのような、オーバーヘッドシンボルである。加えて、各ユーザが搬送波毎にいくつかの異なるビットを用いてデータ転送レートを最大化させるポイント・ツー・マルチポイント通信（１つのノードから送られる情報フレームが、いくつかのノード向けの情報を伝送できる。）では、ユーザ毎に搬送波当たりのビット数の変更が必要となり、これにより、オーバーヘッドの増大に伴って位相の新たな増分が必要となり、又はさもなければより複雑な変調器が必要となり、このことは重大な問題を含意する。
【００３４】
教示している本発明の処理方法を含む変調器（図１）は、本発明の処理方法を適用して上述のマルチユーザ通信の問題点を解決する。
【００３５】
搬送波当たりの各ビット数に関して信号配置位相の最適な構成が与えられたものとすると、可能な位相値は常に、最も密な点を有する信号配置位相に係る可能な位相値のサブセットである。変調の特性に起因して、変調器は、情報を含むことができない位相基準をフレームの第１のシンボルとして送る。その後、別の位相基準を送る必要なしに信号配置位相又はユーザの変更を可能にするために、使用される信号配置位相に対応するΔｂｋ∈｛０，１，…，Ｐ−１｝と、最大の位相の個数を有する信号配置位相のΔｂ’ｋ∈｛０，１，…，Ｐｍａｘ−１｝との間で、単射マッピングが次式のように実行される。
【００３６】
【数５】
2006529067.tif 000008
【００３７】
図１に、変調器のブロック図を示す。その入力ａｋ（２）、Δｂｋ（１）では、変調される搬送波のビット数（３）と、位相基準シンボルが処理されているか否かを示す入力（１７）とが受信される。
【００３８】
変調器の出力は、Ｒｅ｛ｓｋ｝又は同相成分（１２）と、Ｉｍ｛ｓｋ｝又は直交位相成分（１３）とである。先に説明した単射マッピングはブロック（４）によって実行され、Δｂ’ｋ（１１）が取得される。先に述べた最適の信号配置位相の場合、比
【数６】
2006529067.tif 000009
は２の累乗であり、よって搬送波当たりのビット数（３）に関しては入力値（１）が置き換えられるだけでよい。ブロック（５）により、差動位相変調が以下のように実行される。
【００３９】
【数７】
2006529067.tif 000010
【数８】
2006529067.tif 000011
【００４０】
ここで、ｂ’ｋ−１（１６）は、メモリブロック（９）で取得される、先行シンボルの位相値であり、これに位相の増分Δｂ’ｋ（１１）が印加されて位相値の絶対値ｂ’ｋ（１５）が取得される。先に説明したように、フレームの最初において位相基準を送る必要がある。この目的のために、位相基準の送信を指示する信号（１７）はスイッチ（１４）を制御して、入力値Δｂ’ｋ（１１）と、増分の結果ｂ’ｋ（１５）との間で選択する。この出力値（１８）は、後続のシンボルにおいて使用するためにメモリ（９）に保持される。従って、ｓｋは、基準位相において次式のようになる。
【００４１】
【数９】
2006529067.tif 000012
【００４２】
変調器の効率的な実施例は、下記の値：
【数１０】
2006529067.tif 000013
【数１１】
2006529067.tif 000014
を含む、２×Ｐｍａｘ個の位置を有するメモリ（７）を必要とする。
【００４３】
ただし、メモリ（７）のサイズは、下記の三角比：
［数５］
ｃｏｓ（−φ）＝ｃｏｓφ
［数６］
ｃｏｓ（π−φ）＝−ｃｏｓφ
［数７］
ｓｉｎφ＝ｃｏｓ（φ−π／２）
を考慮して、
【数１２】
2006529067.tif 000015
にまで削減されることが可能であり、
【数１３】
2006529067.tif 000016
のみが含まれる。
【００４４】
ブロック（８）は、メモリ（７）にインデックスを付与して（１９）及び（２０）を得るために信号（１８）を２つの適切な指数に変換する。
【００４５】
振幅変調される情報ａｋ（２）及び搬送波当たりのビット数（３）は、メモリ（６）で取得される振幅の値を決定する。メモリ（６）は値λ（Ａ＋ａｊ）（２１）を含み、よってこれは、使用されるすべての信号配置位相に係る可能な振幅の数の合計と同じ数の位置を有する。位相基準を送る必要があることを信号（１７）が指示すれば、搬送波当たり２ビットの信号配置位相に対応する振幅であって、位相としてのみ情報を有しかつ既知の振幅を有する振幅が選択される。この位相基準シンボルは、チャンネル推定のために受信に際して使用されるもののうちの１つである。最後に変調器は、いくつかの乗算器（１０）により同相成分（１２）と直交位相成分（１３）とを構成する。
【００４６】
図３は、本発明のこの実施形態において、マルチユーザのときに使用されるフレーム構造を示す。第１のシンボル（４４）は位相基準であり、搬送波当たり２ビットで変調された一連のシンボル（４５）がこれに後続し、これらはすべての可能な受信ユーザへ向かうように方向付けられる。上記シンボル（４５）及び位相基準（４４）によって形成されるセットはまた、ユーザのうちの各々の受信機においてチャンネルの初期推定にも使用される。シンボル（４５）は位相変調された情報を伝送し、よってチャンネル推定のオーバーヘッドが削減される。その後、データシンボル（４６）が送信されるが、このデータシンボル（４６）は、特定のユーザ又は複数のユーザの集合へ方向付けられることが可能であって、搬送波当たり所定のビット数で変調されている。加えて、既知の振幅のシンボル（この実施形態では搬送波当たりに２ビットで変調される。）がフレームに挿入される。この変調は、本発明の処理方法の実施例となるすべての機器により認識されるので（４７）、そのため、先行するデータシンボル（４６）の受信者ではなかったユーザが、チャンネル振幅に係る当該ユーザの推定を更新し、よってその変動を追跡することができる。再び、これらのシンボルは、位相変調された情報を伝送する。
【００４７】
図２は、本発明の処理方法に係る実施形態の場合のマルチユーザ通信システムの復調器を示すブロック図を示す。変調されて受信された低域通過信号（２１）はブロック（２２）において極性信号に変換され、受信された位相φｋ（２４）及び振幅Ａｋ（２３）が取得される。位相の増分
【数１４】
2006529067.tif 000017
（２８）は、受信された位相φｋ（２４）から先行シンボルの位相φｋ−１（２６）を減算する減算器（２７）によって取得される。
【００４８】
【数１５】
2006529067.tif 000018
【００４９】
ここで、先行シンボルの位相φｋ−１（２６）は、それを予め格納したメモリ（２５）より取得される。
【００５０】
この演算の後、受信される位相φｋ（２４）は常に、メモリ（２５）内のφｋ−１が存在していた位置に保持される。この位相の増分（２８）は雑音を伴うので、送信された可能な増分のうちのどれにそれが対応するのかを決定する必要がある。位相検出器（２９）は、受信された
【数１６】
2006529067.tif 000019
（２８）から、ユークリッド距離に関して最も近接したものを、伝送された増分（４３）として選択することにより、このタスクを実行する。信号配置位相のビット数（３１）は、伝送される可能な位相の増分のセットを決定する。
【００５１】
一方で、信号（３０）により、検出器（２９）は位相基準シンボル内での動作不可能（ディスエーブル）状態にされる。
【００５２】
受信された振幅Ａｋ（２３）は、それが差動的な性質をもたないので、異なる処理を受ける。まず、受信される振幅を等化してこれを検出できるように、チャンネル減衰の推定を実行する必要がある。チャンネルの推定は、ブロック（３６）によって実行される。
【００５３】
チャンネル推定器（３６）は、次式のようにして、最初のＳ個のシンボル（（４４）及び（４５））にわたる平均値を計算し、振幅を等化するために必要な重み係数
【数１７】
2006529067.tif 000020
（３９）を計算する。
【００５４】
【数１８】
2006529067.tif 000021
【数１９】
2006529067.tif 000022
【００５５】
Ａｋ（２３）の値を増大させるために、また計算されてシンボルＳ＋１に対して印加される重み係数
【数２０】
2006529067.tif 000023
（３９）を維持するために、同じ位置の再利用が可能であるメモリ（３７）が使用される。チャンネル推定信号（３３）は、どのシンボルの継続時間中に平均値を計算することが必要であるのかを指示する。加えて、ブロック（３５）は、振幅の等化に必要な重み係数値が計算されている途中であれば、重み係数
【数２１】
2006529067.tif 000024
（３９）を更新するものによって、また振幅検出器（３２）によって動作不可能状態にされる。受信された振幅Ａｋ（２３）は、入力振幅値
【数２２】
2006529067.tif 000025
（４１）を取得してそれを振幅検出器（３２）へ印加するために、乗算器（３８）によって等化される。検出器へ入力される振幅
【数２３】
2006529067.tif 000026
（４１）は雑音を伴うので、検出器（３２）は、それが、送信される可能な振幅のうちのどの振幅に対応するのかを決定しなければならない。信号配置位相の搬送波当たりのビット数（３１）は、送信される可能な振幅のセットを決定する。検出される振幅
【数２４】
2006529067.tif 000027
（４２）は、受信されて等化された振幅
【数２５】
2006529067.tif 000028
（４１）のうちで、ユークリッド距離に関して最も近接したものである。同様にして、振幅検出器（３２）は、振幅誤差又は雑音ｅｋ（４０）を次式により計算する。
【００５６】
【数２６】
2006529067.tif 000029
【００５７】
ユーザが情報の宛先であり、ゆえに当該ユーザが信号配置位相の搬送波当たりのビット数を認識していれば、このユーザは、ｅｋ（４０）を最小化する適応アルゴリズムによって重み係数
【数２７】
2006529067.tif 000030
（３９）を更新することで、その初期チャンネル推定を更新することができる。このアルゴリズムは重み係数更新ブロック（３５）に実装され、これは、チャンネルの初期推定の間や信号（３３）によって動作不可能状態にされ、また、受信された信号配置位相が未知であるときに生成されるディスエーブル信号（３４）がそれを指示する場合に動作不可能状態にされる。適応アルゴリズムは、入力として、受信された振幅Ａｋ（２３）と、誤差の計算値ｅｋ（４０）と、重み係数値
【数２８】
2006529067.tif 000031
（３９）とを必要とする。ここで、重み係数値
【数２９】
2006529067.tif 000032
（３９）は、受信された振幅に印加されていて、またメモリ（３７）から取得される。
【００５８】
このブロック（３５）は、メモリ（３７）に保持される新たな重み係数値を計算し、これは次のシンボルから受信される振幅に印加される。よって、情報の宛先でないユーザ、又は使用される信号配置位相を認識していないユーザが、チャンネルの変動を追跡してその初期推定を精緻化できるように、フレームには、本発明のこの実施形態では２ビットで変調されている既知の振幅のシンボル（４７）であって、重み係数
【数３０】
2006529067.tif 000033
（３９）を更新するために使用されるシンボル（４７）が挿入され、チャンネルにより良く適応される。このようにして、すべてのユーザは、その初期チャンネル推定を、更新された状態に維持する。これらのシンボルの継続時間中、信号（３４）は更新ブロック（３５）を動作可能状態にする。またこれらのシンボル（４７）は、検出されるシンボルに基づいてブロック（３５）を反復動作させることにより、チャンネル推定において生成される可能性のある偏差の補正を可能にする。
【図面の簡単な説明】
【００５９】
【図１】本発明の処理方法を組み込んだＡＤＰＳＫ変調器の一実施形態を示すブロック図である。
【図２】本発明に従って機能するＡＤＰＳＫ復調器を示すブロック図である。
【図３】本発明の処理方法を実行するシステムに使用されるフレーム構造を示す図である。
【図１】
2006529067.tif 000034
【図２】
2006529067.tif 000035
【図３】
2006529067.tif 000036
【国際調査報告】
2006529067.tif 000037
2006529067.tif 000038
2006529067.tif 000039
2006529067.tif 000040